(57)【要約】【課題】  外壁板の目地等の表面に現れる模様を柱芯に合わせて意匠性を高め、どのような幅の柱にも確実かつ容易に取り付けることを可能とし、外壁の仕上がり面を均一に揃えることを可能とする。【解決手段】  基板部２は、壁下地への取付面２１を有するとともにこの取付面２１に止着孔２２が穿設されている。スライド部材３は、基板部２の取付面２１の前面に沿ってスライド可能に設けられ、壁下地に固定される固定板部３１の三方に、対向する一対のガイド板部３３と、これらのガイド板部３３に直交する実受け部３４とを備える。そして、スライド部材３の実受け部３４の一側面において、一方の外壁板の側縁部を挟持するようにスライド部材３をスライドさせ、前記外壁板を保持した状態でスライド部材３の固定板部３１が壁下地に固定される。また、この実受け部３４の他側面において、他方の外壁板の側縁部を挟持して外壁板が固定される。【選択図】  図１
2008031717.tif 000002
【特許請求の範囲】
【請求項１】
複数枚の外壁板を壁下地に隣接させて固定して壁面を形成するための外壁板固定金具であって、
壁下地への取付面を有するとともにこの取付面に止着孔が穿設されている基板部と、この基板部の取付面の前面に沿ってスライド可能に設けられるスライド部材を有し、
スライド部材は、壁下地に固定される固定板部を備え、この固定板部の三方が立ち上げられて、対向する一対のガイド板部と、これらのガイド板部に直交する実受け部とが形成されており、
基板部が壁下地に取り付けられ、スライド部材の実受け部の一側面において、隣接させる一方の外壁板の側縁部を挟持するようにスライド部材をスライドさせ、前記外壁板を保持した状態でスライド部材の固定板部が壁下地に固定されてスライド部材のスライド動作が固定され、このスライド部材の実受け部の他側面において、隣接させる他方の外壁板の側縁部を挟持して、外壁板が壁下地に固定されるように構成されていることを特徴とする外壁板固定金具。
【請求項２】
基板部は、互いに対向する側縁部に平行に配設されたリップ部を有する断面略Ｃ形に形成されており、スライド部材の各ガイド板部には、前記リップ部に内接しうるガイド爪がガイド板部の外側に向けてそれぞれ突設されており、
このスライド部材のガイド板部のガイド爪が基板部のリップ部の内側に納められて、基板部に対してスライド部材がスライドするように構成されていることを特徴とする請求項１に記載の外壁板固定金具。
【請求項３】
基板部の取付面にはスライド部材のスライド範囲を規定する大きさの開口部が形成されており、スライド部材の固定板部には止着孔が穿設されて、基板部の開口部を介して固定板部を壁下地に止着させるように構成されていることを特徴とする請求項１または２に記載の外壁板固定金具。
【請求項４】
スライド部材の固定板部には、基板部の開口部の内側に納まるように陥没した段部が形成されていることを特徴とする請求項１〜３のいずれかに記載の外壁板固定金具。
【請求項５】
スライド部材の実受け部は、先端部が三分割されて交互に折曲されており、
分割された両端の実受け部の先端部は、固定板部の反対方向に折曲されてそれぞれ第１係止片となされ、中央の先端部は、固定板部側へ折曲されて第２係止片となされ、
実受け部の一側面の外側には、第１係止片とともに一方の外壁板の側縁部を挟み込む第１支持面がそれぞれ配設されており、第２係止片とともに他方の外壁板の側縁部を挟み込む第２支持面がガイド板部の先端部を折曲して形成されていることを特徴とする請求項１〜４のいずれかに記載の外壁板固定金具。
【請求項６】
スライド部材の第１係止片には、第１支持面に対向する方向に突出した係止突起が形成されていることを特徴とする請求項５に記載の外壁板固定金具。
【請求項７】
スライド部材の第２支持面には、第２係止片に対向する方向に隆起させた隆起部が設けられていることを特徴とする請求項５または６に記載の外壁板固定金具。
【請求項８】
基板部の開口部には、スライド方向の端部にスライド部材の抜け止め片が設けられていることを特徴とする請求項３〜７のいずれかに記載の外壁板固定金具。
【請求項９】
請求項１〜８のいずれかに記載の外壁板固定金具を用いて第１の外壁板と第２の外壁板とを隣接させて壁下地に固定して壁面を形成する外壁の施工方法であって、
壁下地に外壁板固定金具を配置し、基板部の取付面の止着孔と柱芯とを合致させて基板部を止着具により固定して、基板部を壁下地に取り付ける基板部取付工程と、
前記基板部に沿ってスライド部材をスライドさせて第１の外壁板の側縁部を実受け部の一側面において保持する第１の外壁板取付工程と、
外壁板の目地が前記柱芯と合致するように第１の外壁板を配置して、当該位置でスライド部材を壁下地に固定するスライド部材固定工程と、
固定したスライド部材の実受け部の他側面において第２の外壁板の側縁部を保持する第２の外壁板取付工程と、
を含むことを特徴とする外壁の施工方法。
【請求項１０】
請求項１〜８のいずれかに記載の外壁板固定金具を用いて第１の外壁板と第２の外壁板とを隣接させて壁下地に固定した外壁板の固定構造であって、
第１、第２の外壁板にはともに各側縁部に合决り状の実矧ぎ部が形成され、第１の外壁板の側縁部には目地溝が形成されており、
外壁板固定金具は、基板部の取付面が止着孔と柱芯とを合致させるように配設されて止着具により壁下地および柱に固定され、スライド部材の固定板部が壁下地に固定され、
第１の外壁板の実矧ぎ部は、外壁板固定金具の実受け部の一側面において保持されるとともに、目地溝が柱芯に合致するように配設され、
第２の外壁板は、第１の外壁板の実矧ぎ部に継ぎ合わせられるとともに外壁板固定金具の実受け部の他側面において保持されて、
第１の外壁板と第２の外壁板とが隣接するとともに外壁板固定金具の厚みによって壁下地との間に所定のスペースを設けて固定され、これらの外壁板による目地が柱芯に合致して形成されたことを特徴とする外壁板の固定構造。
【発明の詳細な説明】
【技術分野】
【０００１】
本発明は、外壁板固定金具、この固定金具を用いた外壁の施工方法、およびこの固定金具を用いた外壁板の固定構造に関する。
【背景技術】
【０００２】
従来から、窯業系サイディング材等の外壁板を建物の躯体に施工する方法として、外壁板の長手方向を上下方向に合わせて張り付ける縦張り工法と、外壁板の長手方向を水平方向に合わせて張り付ける横張り工法とが多用されている。
【０００３】
このうち、縦張り工法では、壁下地に横胴縁を配設して外壁板を釘固定したり、横胴縁に止め金具を用いて外壁板を固定したり、柱を下地として横胴縁を入れずに外壁板を止め金具で固定するなどの手法がとられていた。
【０００４】
しかし、縦張り工法において横胴縁を用いると、壁下地に多くの横材を配設することになり、設備配管等の貫通穴を開設するのに横材を避けて計画しなければならなくなったり、あるいは横材にも貫通穴を設けなければならなくなったりするという問題点があった。
【０００５】
また、外壁板を固定する釘が表面に現れて意匠性に劣るという問題点や、横材を使用しない部分との外壁板の仕上がり面を面一に揃えることができないという問題点もあった。
【０００６】
例えば、特許文献１には、外壁板を縦張り工法によって取り付けるための留め金具の技術について開示されている。この留め金具は、壁下地に当てがわれる基板の両側縁に形成した起立片の長さ方向中央から基板が折曲されて突設片が設けられ、この突設片の表裏に折り返された止着用爪片が外壁板の接合段部に係合するようになっている。また、基板は一部斜面になって形成されており、卵形状の釘孔が穿設されて、ビスを強く締め付けたときビス頭から釘孔に加えられる圧縮力と斜面傾斜方向の力の両作用によって、金具が外壁板へ締め付けるように意図されている。
【特許文献１】特開２００２−１３８６４６号公報
【発明の開示】
【発明が解決しようとする課題】
【０００７】
前記従来例の留め金具の場合は、外壁板の意匠目地等の表面模様を柱芯に合わせると、金具の固定位置が柱芯から外れたり、柱の端空き寸法が不足したりするなどの不都合を生じると考えられる。また、これを避けるために外壁板の位置を柱からずらすと、外壁板の表面模様と柱芯とがずれてしまい、意匠性に劣る仕上がりになるという問題点もある。
【０００８】
また、外壁板の側縁部に金具を引っ掛けて仮支持させ、この状態で柱や胴縁等の下地材に留め金具を固定するが、作業中に手を放すと留め金具が落下することもあるため施工性が低下するという不都合もあった。さらに、前記従来例に開示されているように、柱に対して釘を留め金具を介して斜め打ちする場合、その強度基準が不明確であり、信頼性に欠けるものとなってしまう。
【０００９】
そこで本発明は、上記のような問題点にかんがみてなされたものであり、外壁板の目地等の表面に現れる模様を柱芯に合わせて意匠性を高められるように配慮しつつ、どのような幅の柱にも確実かつ容易に取り付けることを可能とし、外壁の仕上がり面を均一に揃えることが可能な外壁板固定金具を提供するとともに、この固定金具を用いた外壁の施工方法、およびこの固定金具を用いた外壁板の固定構造を提供するものである。
【課題を解決するための手段】
【００１０】
上記した目的を達成するため、本発明は、複数枚の外壁板を壁下地に隣接させて固定して壁面を形成するための外壁板固定金具であって、壁下地への取付面を有するとともにこの取付面に止着孔が穿設されている基板部と、この基板部の取付面の前面に沿ってスライド可能に設けられるスライド部材を有し、スライド部材は、壁下地に固定される固定板部を備え、この固定板部の三方が立ち上げられて、対向する一対のガイド板部と、これらのガイド板部に直交する実受け部とが形成されており、基板部が壁下地に取り付けられ、スライド部材の実受け部の一側面において、隣接させる一方の外壁板の側縁部を挟持するようにスライド部材をスライドさせ、前記外壁板を保持した状態でスライド部材の固定板部が壁下地に固定されてスライド部材のスライド動作が固定され、このスライド部材の実受け部の他側面において、隣接させる他方の外壁板の側縁部を挟持して、外壁板が壁下地に固定されるように構成されていることを特徴とする。
【００１１】
このような発明によれば、まず外壁板固定金具の基板部を留め付けておき、続いて外壁板をスライド部材で保持するようにし、このスライド部材を留め付けるという手順で作業を進めることができるので、施工効率を低下させることなく容易に外壁板を壁下地に固定することができる。また、横胴縁等の多数の横材を用いる必要がないので配管穴や付帯物の設置位置の設計自由度を高めることができ、施工性も向上させることができる。
【００１２】
また、本発明は上記構成の外壁板固定金具において、基板部は、互いに対向する側縁部に平行に配設されたリップ部を有する断面略Ｃ形に形成されており、スライド部材の各ガイド板部には、前記リップ部に内接しうるガイド爪がガイド板部の外側に向けてそれぞれ突設されており、このスライド部材のガイド板部のガイド爪が基板部のリップ部の内側に納められて、基板部に対してスライド部材がスライドするように構成されていることを特徴とする。
【００１３】
これにより、簡単な構造で構成することができ、基板部とスライド部材とを組み付けて一体にした状態では、壁下地に取り付ける際にいずれかの部材を落下させるおそれがなく、またスライド部材のスライド動作も容易に行うことができる。
【００１４】
また、本発明は上記構成の外壁板固定金具において、基板部の取付面にはスライド部材のスライド範囲を規定する大きさの開口部が形成されており、スライド部材の固定板部には止着孔が穿設されて、基板部の開口部を介して固定板部を壁下地に止着させるように構成されていることを特徴とする。また、スライド部材の固定板部には、基板部の開口部の内側に納まるように陥没した段部が形成されていることを特徴とする。
【００１５】
これにより、基板部に対するスライド部材のスライド動作もスムーズに行うことができるとともに、固定板部に段部が形成されているので、スライド部材の固定面と基板部の固定面とを同一平面上とすることが可能になる。したがって、スライド部材を基板部から取り外して、スライド部材を単体で固定金具として使用することも可能となる。
【００１６】
また、本発明は上記構成の外壁板固定金具において、スライド部材の実受け部は、先端部が三分割されて交互に折曲されており、分割された両端の実受け部の先端部は、固定板部の反対方向に折曲されてそれぞれ第１係止片となされ、中央の先端部は、固定板部側へ折曲されて第２係止片となされ、実受け部の一側面の外側には、第１係止片とともに一方の外壁板の側縁部を挟み込む第１支持面がそれぞれ配設されており、第２係止片とともに他方の外壁板の側縁部を挟み込む第２支持面がガイド板部の先端部を折曲して形成されていることが好ましい。これにより、外壁板の側縁部を確実かつ容易に保持して、固定することができるようになっている。
【００１７】
また、本発明は上記構成の外壁板固定金具において、スライド部材の第１係止片には、第１支持面に対向する方向に突出した係止突起が形成されていることが好ましい。また、本発明は上記構成の外壁板固定金具において、スライド部材の第２支持面には、第２係止片に対向する方向に隆起させた隆起部が設けられていることが好ましい。
【００１８】
このような構成により、外壁板の厚み寸法に多少のばらつきがあってもそれを許容して、係止片および支持面の間に外壁板を嵌め込んで確実に固定することが可能になる。
【００１９】
また、本発明は上記構成の外壁板固定金具において、基板部の開口部には、スライド方向の端部にスライド部材の抜け止め片が設けられていることが好ましい。これにより、スライド部材を不用意に落下させることがなく、基板部に一体に組み付けておくことが可能になる。
【００２０】
さらに、本発明に係る外壁の施工方法は、前記構成に係る外壁板固定金具を用いて第１の外壁板と第２の外壁板とを隣接させて壁下地に固定して壁面を形成する外壁の施工方法であって、壁下地に外壁板固定金具を配置し、基板部の取付面の止着孔と柱芯とを合致させて基板部を止着具により固定して、基板部を壁下地に取り付ける基板部取付工程と、前記基板部に沿ってスライド部材をスライドさせて第１の外壁板の側縁部を実受け部の一側面において保持する第１の外壁板取付工程と、外壁板の目地が前記柱芯と合致するように第１の外壁板を配置して、当該位置でスライド部材を壁下地に固定するスライド部材固定工程と、固定したスライド部材の実受け部の他側面において第２の外壁板の側縁部を保持する第２の外壁板取付工程と、を含むことを特徴としている。
【００２１】
さらに、本発明に係る外壁板の固定構造は、前記構成に係る外壁板固定金具を用いて第１の外壁板と第２の外壁板とを隣接させて壁下地に固定した外壁板の固定構造であって、第１、第２の外壁板にはともに各側縁部に合决り状の実矧ぎ部が形成され、第１の外壁板の側縁部には目地溝が形成されており、外壁板固定金具は、基板部の取付面が止着孔と柱芯とを合致させるように配設されて止着具により壁下地および柱に固定され、スライド部材の固定板部が壁下地に固定され、第１の外壁板の実矧ぎ部は、外壁板固定金具の実受け部の一側面において保持されるとともに、目地溝が柱芯に合致するように配設され、第２の外壁板は、第１の外壁板の実矧ぎ部に継ぎ合わせられるとともに外壁板固定金具の実受け部の他側面において保持されて、第１の外壁板と第２の外壁板とが隣接するとともに外壁板固定金具の厚みによって壁下地との間に所定のスペースを設けて固定され、これらの外壁板による目地が柱芯に合致して形成されたことを特徴としている。
【００２２】
このような外壁の施工方法および外壁板の固定構造により、外壁板による目地を柱芯に合致して配設することが可能になって意匠性を高めるとともに、効率よく外壁板を配設して壁面を形成することができる。また、第１の外壁板と第２の外壁板とを隣接させて、外壁板固定金具の厚みによって壁下地との間に所定のスペースを設けて固定することができる。すなわち、この外壁板固定金具に設けられている実受け部によって、各外壁板と壁下地との間に通気路に相当するスペースを確保することができる。
【００２３】
なお、これらの発明において、柱は、屋根または床等の荷重を支えて基礎に伝える垂直部材全般を言い、柱（主柱）だけでなく、間柱、管柱等も含むものとする。
【発明の効果】
【００２４】
上述のように構成される本発明の外壁板固定金具によれば、外壁板の目地等の表面に現れる模様を柱芯に合わせて意匠性を高めることができ、柱や間柱など、どのような幅の柱にも確実かつ容易に取り付けることが可能となって、外壁の仕上がり面を均一に揃えることも可能である。また、本発明の固定金具を用いた外壁の施工方法、およびこの固定金具を用いた外壁板の固定構造により、意匠性が高く信頼性の高い外壁を形成することが可能となる。
【発明を実施するための最良の形態】
【００２５】
以下、本発明に係る外壁板固定金具、この固定金具を用いた外壁の施工方法、およびこの固定金具を用いた外壁板の固定構造を実施するための最良の形態について、図面を参照しつつ説明する。
【００２６】
図１〜図３は本発明に係る外壁板固定金具を示し、図１は外壁板固定金具を左方向から見た斜視図、図２は図１の外壁板固定金具を右方向から見た斜視図、図３は外壁板固定金具の正面図である。なお、説明の便宜上、外壁板固定金具における方向性を、縦張り工法において施工されるときの状態を基準にして、図３に示すように規定して説明を行うこととする。
【００２７】
また、図４は本発明に係る外壁板固定金具を壁下地および柱に固定したところを示す断面図、図５は本発明に係る外壁の施工方法の一工程を示す断面図、図６は図５の正面図である。また、図７は本発明に係る外壁板の固定構造を示す断面図である。
【００２８】
なお、前記各断面図においては図面を見やすくするために、柱や壁下地等の構成部材には断面を示すハッチングを省略して透視的に記載している。
【００２９】
外壁板固定金具１は、複数枚の外壁板４を壁下地５に隣接させて固定して壁面を形成するものである。外壁板固定金具１は、基板部２と、スライド部材３との２部材からなる。これらの２部材とも、例えば厚さ０．８〜１．２ｍｍ程度のステンレス板、鋼鉄板、アルミ軽合金板等の金属板を折曲成形して形成されている。
【００３０】
基板部２は、壁下地５の室外側の面に固定される取付面２１を有する。この取付面２１には、図中に示す左寄りに止着孔２２が穿設されている。止着孔２２の上下には、抜け止め片２３，２３が形成され、基板部２の材厚分程度だけ取付面２１から突出するように軽く折曲されている。
【００３１】
また、基板部２は、互いに対向する側縁部に、平行に配設されたリップ部２６を有する断面略Ｃ形に形成されている。例示の形態では、長辺方向である左右方向に対して平行となるように、上下の側縁部にそれぞれリップ部２６が形成されている。
【００３２】
また、スライド部材３は、基板部２の取付面２１の前面（室外側面）に沿ってスライド可能に設けられるように構成されている。図示するように、スライド部材３は、正面視長方形状の基板部２に対して、上下方向の幅はほぼ同等に形成されており、左右方向には基板部２よりも短く形成されている。
【００３３】
スライド部材３は、壁下地５に固定しうる固定板部３１を備えている。固定板部３１は、周縁の三方（図３でいう左、上、下、の三方）が立ち上げられて、互いに対向する一対のガイド板部３３（上下）と、これらのガイド板部３３に直交する実受け部３４（左側）とを形成している。
【００３４】
スライド部材３の各ガイド板部３３は、基板部２のリップ部２６同士の間隔にほぼ相当する間隔で配設され、これらのリップ部２６に内接しうるガイド爪３３１が、ガイド板部３３の中腹部に外側に向けてそれぞれ突設されている。
【００３５】
ガイド爪３３１は、基板部２のリップ部２６の内側に納められる。したがって、ガイド爪３３１は、基板部２のリップ部２６の溝寸法よりも小さい突出長さで形成されている。また、ガイド爪３３１は、基板部２のリップ部２６の内側に当接しない程度の遊びを持たせた寸法により配設されている。
【００３６】
このようなガイド板部３３のガイド爪３３１を、基板部２のリップ部２６にそれぞれ挿通させることで、スライド部材３が基板部２に対して左右方向に自在にスライドするように構成されている。図３に示すように、基板部２の左寄りに取付面２１および止着孔２２が配置され、この基板部２に対してスライド部材３は実受け部３４が左側に位置するように基板部２に嵌め合わせられる。
【００３７】
基板部２の取付面２１には、略長方形状の開口部２４が形成されている。この開口部２４は、スライド部材３のスライド範囲を規定する大きさとなされている。基板部２の開口部２４には、スライド方向となる左右方向の右端部に、スライド部材３の抜けを防止する抜け止め片２５が切り曲げして形成されており、取付面２１の表面より微少寸法だけ突出するように設けられている。
【００３８】
また、スライド部材３の固定板部３１には、この基板部２の開口部２４の内側に納まるように陥没した段部３１１が形成されている。この段部３１１によって、スライド部材３の固定板部３１には、ちょうど基板部２の材厚分だけ凹ませた凹部が形成されている。
【００３９】
これにより、スライド部材３のガイド爪３３１を基板部２のリップ部２６に挿通させ、左右方向にスライドさせると、スライド部材３の段部３１１が、基板部２の開口部２４の端縁に沿って摺動する。そして、スライド部材３が基板部２の最右寄りに位置すると、基板部２の抜け止め片２５がスライド部材３の固定板部３１に当接して引っ掛かるため、スライド範囲の右端が規定される。また、スライド部材３を基板部２の開口部２４に沿って左方向にスライドさせると、スライド部材３の固定板部３１の段部３１１が開口部２４の左端縁に当接して引っ掛かり、スライド範囲の左端が規定される。
【００４０】
なお、スライド部材３を基板部２の開口部２４から離間させて基板部２の取付面２１より浮かせた状態でスライドさせると、スライド部材３は開口部２４の左端縁よりもさらに左寄りにスライドさせることができ、取付面２１の抜け止め片２３，２３に段部３１１が係止して抜け止めされるようになっている。この状態からさらにスライド部材３を左方向へ引っ張ると、スライド部材３の段部３１１が抜け止め片２３，２３を乗り越えて、基板部２から取り外すことも可能となっている。
【００４１】
かかるスライド部材３の固定板部３１には、段部３１１の内側に複数の止着孔３２が穿設されている。スライド部材３は、基板部２の開口部２４を介して、固定板部３１を壁下地５に当接させることができ、これらの止着孔３２を利用して壁下地５にスライド部材３を止着させることができるように構成されている。
【００４２】
また、スライド部材３の実受け部３４は、先端部が細溝によって三分割されて、交互に折曲されている。このように分割されている実受け部３４の先端部のうち、両端に位置する実受け部３４の先端部は、固定板部３１の反対方向に折曲されて逆Ｌ字状に形成されており、それぞれ第１係止片３４１，３４１となされている。また、中央に位置する実受け部３４の先端部は、固定板部３１側へ傾斜させて折曲されて、これが第２係止片３４４となされている。
【００４３】
また、かかる実受け部３４の一側面の外側には、第１係止片３４１，３４１とともに一方の外壁板４の側縁部を挟み込むための第１支持面３４３，３４３がそれぞれ配設されている。また、このスライド部材３の第１係止片３４１，３４１には、第１支持面３４３，３４３に対向する方向（室内側）に突出した係止突起３４２が形成されている。
【００４４】
また、実受け部３４の第２係止片３４４とともに他方の外壁板４の側縁部を挟み込むための第２支持面３４５，３４５が、ガイド板部３３の先端部を外側方向へ折曲して形成されている。このスライド部材３の第２支持面３４５，３４５には、外側を部分的に切り曲げすることによって第２係止片３４４に対向する方向（室外側）へ隆起させた隆起部３４６，３４６が設けられている。
【００４５】
このような外壁板固定金具１は、基板部２とスライド部材３とが互いにスライド可能に一体に組み付けられて用いられるが、次に、外壁板固定金具１によって、隣接して建て込む複数の外壁板４，４を壁下地に固定する施工方法について説明する。
【００４６】
外壁板４を配設する壁下地５に、基板部２とスライド部材３とが一体の外壁板固定金具１を配置する。このとき、基板部２の取付面２１に形成されている止着孔２２と、柱６の柱芯とを合致させるようにして配置する。そして、図４に示すように、基板部２の取付面２１を止着孔２２を介してビス等の止着具７により固定して、基板部２を壁下地５に取り付ける（基板部取付工程）。
【００４７】
次に、スライド部材３を基板部２の開口部２４に沿わせてスライドさせ、第１の外壁板４の側縁部を実受け部３４の一側面に嵌め込み、保持させる（第１の外壁板取付工程）。図５に示すように、外壁板４の側縁部には、合决り状の実矧ぎ部４１が形成されている。この実矧ぎ部４１を、スライド部材３の第１係止片３４１，３４１および第１支持面３４３，３４３に嵌め合わせる。
【００４８】
続いて、この第１の外壁板４の目地溝４２が柱芯と合致するように外壁板４の位置を調整し、この位置でスライド部材３を壁下地５に固定する（スライド部材固定工程）。スライド部材３の固定は、固定板部３１の止着孔３２を介して止着具７で壁下地５に止着することにより行う。これにより、スライド部材３のスライド動作が固定される。
【００４９】
次に、第２の外壁板４をスライド部材３に取り付ける。すなわち、壁下地５に固定されたスライド部材３に対し、第２の外壁板４の実矧ぎ部４１を、実受け部３４の第２係止片３４４および第２支持面３４５，３４５の間に嵌め込んで保持させる（第２の外壁板取付工程）。
【００５０】
このように外壁板４，４を保持する外壁板固定金具１は、外壁板の四周の上下方向に数箇所配置されて壁下地５に固定するだけで、外壁板４，４を固定することができる。かかる工程を繰り返して外壁板４を固定し、壁面が形成される。
【００５１】
このように外壁板固定金具１により固定された外壁板４，４は、図７に示すような固定構造をなす。すなわち、ともに各側縁部に合决り状の実矧ぎ部４１が形成された第１の外壁板４と第２の外壁板４とが、第１の外壁板４の側縁部の目地溝４２を挟んで隣接されている。
【００５２】
外壁板固定金具１は、基板部２の取付面２１の止着孔２２と柱６の柱芯とを合致させるように配設されている。基板部２は、止着具７により壁下地５および柱６に固定されている。また、スライド部材３の固定板部３１は、壁下地５に止着具７により固定されている。
【００５３】
第１の外壁板４の実矧ぎ部４１は、外壁板固定金具１の実受け部３４の一側面において、第１係止片３４１および第１支持面３４３の間に挟持されて固定され、その目地溝４２がちょうど柱６の柱芯に合致するように配設されている。
【００５４】
第２の外壁板４は、外壁板固定金具１の実受け部３４の他側面において、第２係止片３４４および第２支持面３４５の間に挟持されて固定され、第１の外壁板４の実矧ぎ部４１に継ぎ合わせられている。
【００５５】
これにより、第１の外壁板４と第２の外壁板４とが隣接するとともに、外壁板固定金具１の厚みによって壁下地５との間に所定のスペースを設けて固定されている。すなわち、この外壁板固定金具１に設けられた第１支持面３４３および第２支持面３４５によって、外壁板４，４と壁下地５との間に通気路１０に相当するスペースが確保されている。また、これらの外壁板４，４による目地（目地溝４２）が、柱６の柱芯に合致して形成されている。
【００５６】
また、かかる外壁板固定金具１は、スライド部材３を基板部２から取り外して、スライド部材３を単体で外壁板固定金具として使用することもできる。この場合、外壁板４の長手方向を水平方向に合わせて張り付ける横張工法が可能となる。そして、前記縦張り工法で説明したのと同様に、外壁板４の実矧ぎ部４１を、スライド部材３の実受け部３４に嵌め込んで固定するように施工する。このとき、スライド部材３の固定板部３１は壁下地５に取り付けられて、縦張り工法の場合と同様のスペースを外壁板４，４との間に確保できるので、壁面の仕上がり面を面一に揃えることが可能である。
【産業上の利用可能性】
【００５７】
本発明は、外壁板を建物の躯体あるいは壁下地等に固定して壁面を形成するのに好適に利用することができる。
【図面の簡単な説明】
【００５８】
【図１】本発明に係る外壁板固定金具を左方向から見た斜視図である。
【図２】図１の外壁板固定金具を右方向から見た斜視図である。
【図３】本発明に係る外壁板固定金具の正面図である。
【図４】本発明に係る外壁板固定金具を壁下地および柱に固定したところを示す断面図である。
【図５】本発明に係る外壁の施工方法の一工程を示す断面図である。
【図６】図５に示す状態の外壁板固定金具の正面図である。
【図７】本発明に係る外壁板の固定構造を示す断面図である。
【符号の説明】
【００５９】
１      外壁板固定金具
２      基板部
２１    取付面
２２    止着孔
２３    抜け止め片
２４    開口部
２５    抜け止め片
２６    リップ部
３      スライド部材
３１    固定板部
３１１  段部
３２    止着孔
３３    ガイド板部
３３１  ガイド爪
３４    実受け部
３４１  第１係止片
３４２  係止突起
３４３  第１支持面
３４４  第２係止片
３４５  第２支持面
３４６  隆起部
４      外壁板
４１    実矧ぎ部
４２    目地溝
５      壁下地
６      柱
【図１】
2008031717.tif 000003
【図２】
2008031717.tif 000004
【図３】
2008031717.tif 000005
【図４】
2008031717.tif 000006
【図５】
2008031717.tif 000007
【図６】
2008031717.tif 000008
【図７】
2008031717.tif 000009